(57)【要約】【課題】シンプルな構造で組み立てやすく、組み立て状態の見栄えが良いロック機能付き包装箱を提供する。【解決手段】第二の側面板２６の内側の係合片７０は、幅β１の先端部７０ａと、幅β２（＜β１）で、係合片７０の基端側の中央部で第二の側面板２６に連続した基端部７０ｂとを有する。差し込みフラップ５０の係合片受け部５４は、差し込みフラップ５０の幅方向に延びる第一の切り込み線５４ａと、その途中の２箇所を起点として差し込みフラップ５０の先端部の方向に延びる２つの第二の切り込み線５４ｂと、２つの第二切り込み線５４ｂの先端同士を結ぶ位置に設けられた第一の折罫線５４ｃとを有する。第一の切り込み線５４ａの２つの端部同士の間隔α１は、α１≧β１に設定され、２つの第二の切り込み線５４ｂの間隔α２は、β１＞α２≧β２に設定されている。【選択図】図２
0003223046.tif 000002
【実用新案登録請求の範囲】
【請求項１】
筒体を形成する複数の側面板と、前記複数の側面板の中の１つである第一の側面板の一端部に延設され、前記第一の側面板に対向する第二の側面板と重ならずに前記筒体の一端部を塞ぐ蓋片と、前記蓋片の先端部に延設され、前記第二の側面板の内面側に差し込まれる差し込みフラップと、前記第二の側面板の内側の、前記差し込みフラップが差し込まれて重なる位置に設けられた舌片状の係合片と、前記差し込みフラップの内側に設けられ、前記係合片が中に入って係合する係合片受け部とを備え、
前記係合片は、所定の幅を有した先端部と、前記先端部よりも幅狭で、前記係合片の基端側で前記第二の側面板に連続した基端部とを有し、
前記係合片受け部は、前記差し込みフラップの幅方向に延びる第一の切り込み線と、前記第一の切り込み線の途中の２箇所を起点として前記差し込みフラップの先端部の方向に延びる２つの第二の切り込み線とを有し、
前記第一の切り込み線の２つの端部同士の間隔は、前記係合片の前記先端部の幅と同じか又は長く設定され、２つの前記第二の切り込み線の間隔は、前記係合片の前記先端部の幅よりも短く、且つ前記係合片の前記基端部の幅と同じか又は長く設定されていることを特徴とするロック機能付き包装箱。
【請求項２】
前記係合片受け部は、２つの前記第二切り込み線の先端同士を結ぶ位置に設けられた第一の折罫線を有する請求項１記載のロック機能付き包装箱。
【請求項３】
筒体を形成する複数の側面板と、前記複数の側面板の中の１つである第一の側面板の一端部に延設され、前記第一の側面板に対向する第二の側面板と重ならずに前記筒体の一端部を塞ぐ蓋片と、前記蓋片の先端部に延設され、前記第二の側面板の内面側に差し込まれる差し込みフラップと、前記第二の側面板の内側の、前記差し込みフラップが差し込まれて重なる位置に設けられた舌片状の係合片と、前記差し込みフラップの内側に設けられ、前記係合片が中に入って係合する係合片受け部とを備え、
前記係合片は、所定の幅を有した先端部と、前記先端部よりも幅狭で、前記係合片の基端側で前記第二の側面板に連続した基端部とを有し、
前記係合片受け部は、前記差し込みフラップの幅方向に延びる第一の切り込み線と、前記差し込みフラップの幅方向に延びる透孔とを有し、前記透孔は、前記第一の切り込み線の中央部の、前記差し込みフラップの先端部の側に配置されて前記第一の切り込み線に連続し、
前記第一の切り込み線の２つの端部同士の間隔は、前記係合片の前記先端部の幅と同じか又は長く設定され、前記透孔の２つの端部同士の間隔は、前記係合片の前記先端部の幅よりも短く、且つ前記係合片の前記基端部の幅と同じか又は長く設定されていることを特徴とするロック機能付き包装箱。
【請求項４】
前記係合片の前記基端部に、前記基端部を幅方向に横切る第二の折罫線が設けられた請求項１，２又は３記載のロック機能付き包装箱。
【請求項５】
前記第一の切り込み線の中央部は、前記差込フラップの先端部の方向に膨出した形状に形成されている請求項１乃至４のいずれか記載のロック機能付き包装箱。
【請求項６】
前記第二の側面板には、前記係合片をその他の部分から分離させるための開封用破断線が設けられている請求項１乃至５のいずれか記載のロック機能付き包装箱。
【考案の詳細な説明】
【技術分野】
【０００１】
本考案は、蓋部が不正に開封されるのを防止するロック機能を備えたロック機能付き包装箱に関する。
【背景技術】
【０００２】
従来、例えば特許文献１に開示されているように、前板、後板及び左右の側板から成る胴部と、前板の上縁に連接された蓋板と、蓋板の先端部に設けられた差込フラップとを有し、差込フラップが後板の内面側に差し込み可能な包装箱であって、後板の端部に舌片状の係止片が設けられ、差込フラップの内側に、差込みフラップの幅方向に延びるスリットが設けられ、係止片の上端係止部がスリットの中に入って係合し、蓋部がロックされる包装箱があった。
【０００３】
差込フラップのスリットは、長さ方向（差込フラップの幅方向）の中央部に配置され、差込フラップの先端側に向けて凸状をなす凸状スリット部と、凸状スリット部の両端から水平（差込フラップの幅方向と平行）に延びる水平スリット部と、凸状スリット部の両端から水平スリット部に対して鋭角をなす斜め先端側に延びる斜行スリット部とを有している。水平スリット部は、中に入った係止片の上端係止部を係止して抜け止めする部分である。
【０００４】
係止片がスリットの中に挿入されると、まず、係止片の先端中央部が凸状スリット部に入り、凸状スリット部から徐々に隙間が拡大する。この隙間の拡大は、斜行スリット部によって遮断され、水平スリット部の隙間は不必要に大きくならない。したがって、水平スリット部の中に係止片の上端係止部が入った後、水平スリット部が適正な隙間に維持され、上端係止部が水平スリット部にしっかり係止される。
【先行技術文献】
【特許文献】
【０００５】
【特許文献１】特開２０１１−６３２８８号公報
【考案の概要】
【考案が解決しようとする課題】
【０００６】
特許文献１の包装箱は、組み立て状態で、後板の側から見た時の見栄えが良くないという問題がある。図７は（ａ）に示す包装箱１は、特許文献１の中で実施例１として記載された包装箱を示しており、後板２の内面側に差込フラップ３が差し込まれ、係止片４がスリット５の中に入って係合すると、図７（ｂ）、（ｃ）に示す状態になる。
【０００７】
ここで、凸状スリット部５ａによって区切られた内側及び外側の部分を各々Ｐ１部及びＰ２部とし、係止片３の幅方向の中央部をＰ３部とすると、この３つの部分は、図７（ｃ）に示すようにＰ１部、Ｐ３部、Ｐ２部の順に重なる。そして、互いに厚み方向に押し合い、Ｐ１部が外向きに湾曲し、Ｐ３部及びＰ２部が各々内向きに湾曲し、各部の湾曲によって不自然な凸凹が発生する。そのため、後板２の側から包装箱１を見た時、この不自然な凸凹（特にＰ１部の湾曲）が目に付きやすく、非常に見栄えが悪い。
【０００８】
本考案は、上記背景技術に鑑みて成されたものであり、シンプルな構造で組み立てやすく、組み立て状態の見栄えが良いロック機能付き包装箱を提供することを目的とする。
【課題を解決するための手段】
【０００９】
本考案は、筒体を形成する複数の側面板と、前記複数の側面板の中の１つである第一の側面板の一端部に延設され、前記第一の側面板に対向する第二の側面板と重ならずに前記筒体の一端部を塞ぐ蓋片と、前記蓋片の先端部に延設され、前記第二の側面板の内面側に差し込まれる差し込みフラップと、前記第二の側面板の内側の、前記差し込みフラップが差し込まれて重なる位置に設けられた舌片状の係合片と、前記差し込みフラップの内側に設けられ、前記係合片が中に入って係合する係合片受け部とを備え、
前記係合片は、所定の幅を有した先端部と、前記先端部よりも幅狭で、前記係合片の基端側で前記第二の側面板に連続した基端部とを有し、
前記係合片受け部は、前記差し込みフラップの幅方向に延びる第一の切り込み線と、前記第一の切り込み線の途中の２箇所を起点として前記差し込みフラップの先端部の方向に延びる２つの第二の切り込み線とを有し、
前記第一の切り込み線の２つの端部同士の間隔は、前記係合片の前記先端部の幅と同じか又は長く設定され、２つの前記第二の切り込み線の間隔は、前記係合片の前記先端部の幅よりも短く、且つ前記係合片の前記基端部の幅と同じか又は長く設定されているロック機能付き包装箱。
【００１０】
さらに、前記係合片受け部は、２つの前記第二切り込み線の先端同士を結ぶ位置に設けられた第一の折罫線を有するとよい。
【００１１】
また、本考案は、筒体を形成する複数の側面板と、前記複数の側面板の中の１つである第一の側面板の一端部に延設され、前記第一の側面板に対向する第二の側面板と重ならずに前記筒体の一端部を塞ぐ蓋片と、前記蓋片の先端部に延設され、前記第二の側面板の内面側に差し込まれる差し込みフラップと、前記第二の側面板の内側の、前記差し込みフラップが差し込まれて重なる位置に設けられた舌片状の係合片と、前記差し込みフラップの内側に設けられ、前記係合片が中に入って係合する係合片受け部とを備え、
前記係合片は、所定の幅を有した先端部と、前記先端部よりも幅狭で、前記係合片の基端側で前記第二の側面板に連属した基端部とを有し、
前記係合片受け部は、前記差し込みフラップの幅方向に延びる第一の切り込み線と、前記差し込みフラップの幅方向に延びる透孔とを有し、前記透孔は、前記第一の切り込み線の中央部の、前記差し込みフラップの先端部の側に配置されて前記第一の切り込み線に連続し、
前記第一の切り込み線の２つの端部同士の間隔は、前記係合片の前記先端部の幅と同じか又は長く設定され、前記透孔の２つの端部同士の間隔は、前記係合片の前記先端部の幅よりも短く、且つ前記係合片の前記基端部の幅と同じか又は長く設定されているロック機能付き包装箱。
【００１２】
前記係合片の前記基端部に、前記基端部を幅方向に横切る第二の折罫線が設けられていてもよい。また、前記第一の切り込み線の中央部は、前記差込フラップの先端部の方向に膨出した形状にされていてもよい。さらに、前記第二の側面板には、前記係合片をその他の部分から分離させるための開封用破断線が設けられていてもよい。
【考案の効果】
【００１３】
本考案のロック機能付き包装箱は、第二の側面板の係合片及び差し込みフラップの係合片受け部が独特な形状に形成され、係合片を係合片受け部の中に挿入すると、係合片が差し込みフラップの内面側で自然に傾倒し、差し込みフラップの表面に大きい凹凸が発生しない。したがって、組み立て状態の包装箱の、第二の側面板の側から見た時の見栄えが、従来の包装箱よりも格段に良くなる。また、係合片と係合片受け部との係合強度も、従来と同等か又はそれ以上に強くすることができる。
【図面の簡単な説明】
【００１４】
【図１】本考案のロック機能付き包装箱の一実施形態の組み立て状態を示す斜視図である。
【図２】この実施形態のロック機能付き包装箱を形成する箱体形成片を裏面側から見た展開図（ａ）、係合片受け部を拡大した図（ｂ）、係合片を拡大した図（ｃ）である。
【図３】この実施形態のロック機能付き包装箱の組み立て工程を順に示す平面図（ａ）、（ｂ）、（ｃ）である。
【図４】この実施形態のロック機能付き包装箱の、蓋部を閉鎖する前の状態を示す斜視図である。
【図５】この実施形態のロック機能付き包装箱の、蓋部を閉鎖する時の動作を順に示す正面（ａ）、（ｂ）、（ｃ）である。
【図６】この実施形態のロック機能付き包装箱の、組み立て状態の蓋部を示す正面図（ａ）と（ｂ）、Ａ−Ａ断面図（ｃ）である。
【図７】従来の包装箱の蓋部を示す図であって、蓋部を閉鎖する前の状態を示す正面図（ａ）、組み立て状態の蓋部を示す正面図（ｂ）、Ｂ−Ｂ断面図（ｃ）である。
【考案を実施するための形態】
【００１５】
以下、本考案のロック機能付き包装箱の一実施形態について、図１〜図６に基づいて説明する。この実施形態のロック機能付き包装箱１０は、図１に示すように、細長い略直方体の箱体で、四角形の筒体１２の一端部が、独特な構造の蓋部１４で閉鎖され、他端部が、いわゆるワンタッチ型と呼ばれる底部１６で閉鎖される。
【００１６】
ロック機能付き包装箱１０は、厚紙等で成る一枚の箱体形成片１８を組み立てることによって形成される。箱体形成片１８は、図２（ａ）に示すように、互いに平行に連接された４つの側面板２０，２２，２４，２６を有し、各々折罫線２８，３０，３２で区切られている。側面板２０，２２，２４，２６は、連接方向と直角な幅方向の長さがほぼ同じで、連接方向長さは、側面板２０，２４が短くて互いにほぼ等しく、側面板２２，２６が長くて互いにほぼ等しい。さらに、側面板２６の連接方向の端部には、糊付け片３４が短く延設され、折罫線３６で側面板２６と区切られている。糊付け片３４は、４つの側面板２０，２２，２４，２６で筒体１２を形成するため、側面板２０の端部の裏面に糊付けされる部分である。
【００１７】
以下、４つの側面板２０，２２，２４，２６の、図２（ａ）における上側の端部を蓋側の端部、下側の端部を底側の端部と称する。また、側面板２２を第一の側面板２２、側面板２６を第二の側面板２６と称する。
【００１８】
側面板２０の蓋側の端部には、略矩形のサイドフラップ３８が延設され、折罫線４０で側面板２０と区切られている。側面板２０の底側の端部には、先端部が幅狭になった台形状の底片４２が延設され、折罫線４４で側面板２０と区切られている。底片４２は、ワンタッチ型の底部１６の一部になる部分であり、折罫線４４からの延出長さは、第一の側面板２２の短辺の長さの約1/3である。
【００１９】
第一の側面板２２の蓋側の端部には、略長方形の蓋片４６が延設され、折罫線４８で第一の側面板２２と区切られている。蓋片４６の延出長さは、側面板２０の短辺の長さとほぼ同じである。また、蓋片４６の先端部には、差し込みフラップ５０が延設され、折罫線５２で蓋片４６と区切られている。差し込みフラップ５０は、折罫線５２からの延出長さが第二の側面板２６の長辺の長さの約1/8で、後述する開封用破断線７０に囲まれた領域を覆うことができる大きさに設定されている
差し込みフラップ５０の内側には、後述する係合片７０が中に入って係合する係合片受け部５４が設けられている。係合片受け部５４は、図２（ｂ）に示すように、差し込みフラップ５０の幅方向に延びる第一の切り込み線５４ａと、第一の切り込み線５４ａの途中の２箇所を起点として差し込みフラップ５０の先端部の方向に延びる２つの第二の切り込み線５４ｂと、２つの第二切り込み線５４ｂの先端同士を結ぶ位置に設けられた第一の折罫線５４ｃとを有している。第一の切り込み線５４ａは、差し込みフラップ５０の先端部の方向に円弧状に膨出した形状に形成され、２つの端部同士の間隔はα１に設定されている。２つの第二の切り込み線５４ｂは互いにほぼ平行で、間隔はα２に設定されている。
【００２０】
第一の側面板２２の底側の端部には、略四角形の底片５６が延設され、折罫線５８で第一の側面板２２と区切られている。底片５６は、ワンタッチ型の底部１６の一部になる部分であり、折罫線５８からの延出長さは、側面板２０の短辺の長さのより少し短い。底片５６の内側には、折罫線５８の一端部から約４５度の角度で延びる折罫線６０が設けられ、底片５６を、第一の側面板２２に連続する底面部５６ａと小さい略三角形の糊付け部５６ｂとに区切っている。
【００２１】
側面板２４の蓋側の端部には、略矩形のサイドフラップ６２が延設され、折罫線６４で側面板２４と区切られている。側面板２４の底側の端部には、先端部が幅狭になった台形状の底片６６が延設され、折罫線６８で側面板２４と区切られている。底片６６は、ワンタッチ型の底部１６の一部になる部分であり、折罫線６８からの延出長さは、第一の側面板２２の短辺の長さの約1/3である。
【００２２】
第二の側面板２６の蓋側の端辺２６ａには何も延設されておらず、第二の側面板２６の内側に、端辺２６ａから延びる切り込み線により、舌片状の係合片７０が設けられている。係合片７０は、図２（ｃ）に示すように、幅がβ１に設定され、先端縁が円弧状に膨出している先端部７０ａと、幅がβ２（＜β１）に設定され、係合片７０の基端側で第二の側面板２６に連続した基端部７０ｂとを有している。さらに、基端部７０ｂには、基端部７０ｂを幅方向に横切る第二の折罫線７０ｃが設けられている。ここでは、第二の折罫線７０ｃは、短い切り込みと繋ぎ部とを交互に配置した形態にしているが、基材を直線的に圧縮した溝条のような形態にしてもよい。
【００２３】
さらに、第二の側面板２６の蓋側の端部には、係合片７０（及びその周辺部）を他の部分から分離させるための開封用破断線７２が設けられている。開封用破断線７２は、端辺２６ａの途中の２箇所を起点とし、係合片７０（及びその周辺部）を囲むようにコの字形に形成されている。
【００２４】
第二の側面板２６の底側の端部には、略四角形の底片７４が延設され、折罫線７６で第二の側面板２６と区切られている。底片７４は、ワンタッチ型の底部１６の一部になる部分であり、折罫線７６からの延出長さは、側面板２０の短辺の長さのより少し短い。底片７４の内側には、折罫線７６の一端部から約４５度の角度で延びる折罫線７８が設けられ、底片７４を、第一の側面板２２に連続する底面部７４ａと小さい略三角形の糊付け部７４ｂとに区切っている。
【００２５】
ここで、係合片受け部５４の寸法と係合片７０の寸法との関係を説明すると、第一の切り込み線５４ａの２つの端部同士の間隔α１は、係合片７０の先端部７０ａの幅β１と同じか又は長い（α１≧β１）。また、２つの第二の切り込み線５４ｂの間隔α２は、係合片７０の先端部７０ａの幅β１よりも短く、基端部７０ｂの幅β２と同じか又は長い（β１＞α２≧β２）。
【００２６】
次に、ロック機能付き包装箱１０の組み立て方法の一例を説明する。ここでは、箱体形成片１８の表面が凸になる折り方を正折りと称し、裏面が凸になる折り方を逆折りと称する。
【００２７】
まず、図３（ａ）に示すように、折罫線４４を正折りして底片４２を側面板２０の裏面に重ね、折罫線５８を正折りして底片５６を第一の側面板２２の裏面に重ね、折罫線６８を正折りして底片６６を側面板２４の裏面に重ね、折罫線７６を正折りして底片７４を第二の側面板２６の裏面に重ねる。さらに、折罫線７８を逆折りして糊付け部７４ｂを底面部７４ａに重ね、糊付け部７４ｂの裏面に糊８０を塗布する。そして、図３（ｂ）に示すように、折罫線３２を正折りし、第二の側面板２６及び糊付け片３４を側面板２２，２４の裏面に重ねるとともに、糊付け部７４ｂを底片６６の表面に糊付けする。
【００２８】
その後、折罫線６０を逆折りして糊付け部５６ｂを底面部５６ａに重ね、糊付け部５６ｂの裏面及び糊付け片３４の表面に糊８２を塗布する。そして、図３（ｃ）に示すように、折罫線２８を正折りし、側面板２０を側面板２２に重ねるとともに、側面板２０の端部の裏面を糊付け片３４に糊付けし、底片４２の表面を糊付け部５６ｂに糊付けする。箱体形成片１８は、この折り畳み状態でロック機能付き包装箱１０の製造工場等から出荷される。
【００２９】
次に、商品等を包装する工場等において立体的に組み立てる。まず、折罫線２８，３０，３２，３６を各々９０度に正折りする。この操作によって、４つの側面板２０，２２，２４、２６が四角形の筒体１２になり、第一及び第二の側面板２２，２６が互いに対向する。また、底片４２と糊付け部５６ｂとが糊付けされ、底片６６と糊付け部７４ｂとが糊付けされているので、筒体１２を形成する操作を行うことによって、逆折りされている折罫線６０，７８が自動的に開き、折罫線４４，５８，６８，７６が自動的に９０度に正折りされ、４つの底片４２，５６，６６，７４が倒れて重なり合い、ワンタッチ型の底部１６が形成される。これで、図４に示すように、筒体１２の底側の端部が閉鎖され、蓋側の端部が開放された状態になる
その後、蓋側の開口部から商品等を入れて、折罫線４０，６４でサイドフラップ３８，６２を９０度に正折りする。そして、折罫線５２で差し込みフラップ５０を９０度に正折りした後、折罫線４８を正折りして蓋片４６をサイドフラップ３８，６２に重ねるように倒し、差し込みフラップ５０を第二の側面板２２の内面側に差し込みむとともに、係合片７０を係合片受け部５４の中に挿入する。
【００３０】
係合片７０を係合片受け部５４の中に挿入するときは、図５（ａ）〜（ｃ）に順に示すように、係合片７０の先端部７０ａを第一の切り込み線５４ａの中に、差し込みフラップ５０の外面側から挿入する。そして、蓋片４６を９０度に倒すと、係合片７０の先端部７０ａが第一の切り込み線５４ａの中にすべて収まり、筒体１２の蓋側の端部を閉鎖する蓋部１２が形成され、図１及び図６（ａ）に示す組み立て状態になる。
【００３１】
次に、組み立て状態の蓋部１２について、図６（ａ）〜（ｃ）に基づいて詳しく説明する。ここで、差し込みフラップ５０の、第一の切り込み線５４ａによって区切られた内側の部分（下向きに膨出している部分）を内側部分５０ａと称し、第一の切り込み線５４ａによって区切られた外側の部分を外側部分５０ｂと称する。また、外側部分５０ｂの中にある、２つの第二の切り込み線５４ｂと第一の折罫線５４ｃとで囲まれた舌片状の部分を舌部８４と称する。
【００３２】
組み立て状態で、係合片７０の先端部７０ａは、第一の切り込み線５４ａを通過して差し込みフラップ５０の内側に配置され、先端部７０ａの左右の突出部分が第一の切り込み線５４ａの両端部に強く係合して抜け止めされる。また、係合片７０の基端部７０ｂは、図６（ｂ）に示すように、２つの第二の切り込み線５４ｂの間に収まるように配置される。差し込みフラップ５０の内側部分５０ａ、外側部分５０ａ及び係合片７０は、図６（ｃ）に示すように、内側部分５０ａ、係合片７０、外側部分５０ｂの順に重なる。
【００３３】
係合片７０が係合片受け部５４の中に挿入される過程で、内側部分５０ａが係合片７０（先端部７０ａ）を内向きに押圧し、係合片７０（基端部７０ｂ）が外側部分５０ｂを内向きに押圧するので、第一の折罫線５４ｃが自動的に折れて舌部８４が内向きに傾倒し、係合片７０が自然に内向きに傾倒する。その結果、係合片７０が内側部分５０ａを押し返す反発力が弱くなり、組み立て状態で、内側部分５０ａは概ね平坦な状態に保持され、表面に大きい凹凸が発生しない。
【００３４】
なお、係合片７０の基端部７０ｂの第二の折罫線７０ｃは、上記の係合片７０が内向きに傾倒する動作がよりスムーズに行われるようにするための折罫線である。第二の折罫線７０ｃは、必要なければ省略してもよい。
【００３５】
ロック機能付き包装箱１０は、無理に蓋片４６を引き上げようとすると、係合片受け部５４又は係合片７０等に何らかの痕跡が残るので、不正に開封することは困難である。正規に開封する時は、第二の側面板２６の、開封用破断線７２に囲まれた領域を指で押して開封用破断線７２を破断させ、係合片７０（及びその周辺部）をその他の部分から分離させる。これで、差し込みフラップ５０と第二の側面板２６との固定が解除され、蓋片４６及びサイドフラップ３８，６２を順に引き起こすことによって蓋部１４を開放することができ、内部の商品等を取り出すことができる。
【００３６】
以上説明したように、ロック機能付き包装箱１０は、第二の側面板２６の係合片７０及び差し込みフラップ５０の係合片受け部５４が独特な形状に形成され、係合片７０を係合片受け部５４の中に挿入すると、係合片７０が差し込みフラップ５０の内面側で自然に傾倒し、差し込みフラップ５０の表面に大きい凹凸が発生しない。したがって、組み立て状態の包装箱１０の、第二の側面板２６の側から見た時の見栄えが、従来の包装箱よりも格段に良くなる。また、係合片７０と係合片受け部５４との係合強度も、従来と同等か又はそれ以上に強くすることができる。
【００３７】
なお、本考案のロック機能付き包装箱は、上記実施形態に限定されるものではない。例えば、上記ロック機能付き包装箱１０の舌部８４の領域は、透孔に変更してもよい。透孔に変更した場合でも、上記と同様の作用効果が得られる。
【００３８】
前記係合片受け部の第一の切り込み線は、差し込みフラップの幅方向に延びる切り込み線であればよく、直線状や曲線状にレイアウトすることができる。ただし、係合片の挿入のしやすさを考慮すると、第一の切り込み線の中央部の形状は、差込フラップの先端部の方向に膨出した形状にすることが好ましく、円弧形、Ｕ字形、Ｖ字形等、自由に選択することができる。また、第一の切り込み線の両端部の形状は、係合片との係合強度を考慮して適宜変更することができる。したがって、上記の第一の切り込み線５４ａは、中央部及び両端部が同じ曲率半径で円弧形に連続しているが、両端部を異なる角度に延ばすことも可能である。
【００３９】
上記２つの第二の切り込み線５４ｂは、互いに平行に配置されているが、本考案の狙いとする動作が可能であれば、平行でなくてもよい。また、上記第一の折罫線５４ｃは、基材を直線的に圧縮した溝条の形態であるが、上記第二の折罫線７０ｃと同様に、短い切り込みと繋ぎ部とを交互に配置した形態にしてもよく、第二の切り込み線の長さや箱体形成片１８の厚み等によっては、設けなくてもよい。
【００４０】
前記第二の側面板の開封用破断線は、開封時に係合片をその他の部分から分離可能にレイアウトされたものであればよく、コの字形の開封用破断線７２とは異なる形態に変更してもよい。また、開封用破断線は、必要なければ省略してもよい。
【００４１】
その他、筒体を形成する側面板の数や大きさや形状、底部の構造等は自由に変更することができる。
【符号の説明】
【００４２】
１０  ロック機能付き包装箱
１２  筒体
２０，２４  側面板
２２  第一の側面板
２６  第二の側面板
４６  蓋片
５０  差し込みフラップ
５４  係合片受け部
５４ａ  第一の切り込み線
５４ｂ  第二の切り込み線
５４ｃ  第一の折罫線
７０  係合片
７０ａ  先端部
７０ｂ  基端部
７０ｃ  第二の折罫線
７２  開封用破断線
【図１】
0003223046.tif 000003
【図２】
0003223046.tif 000004
【図３】
0003223046.tif 000005
【図４】
0003223046.tif 000006
【図５】
0003223046.tif 000007
【図６】
0003223046.tif 000008
【図７】
0003223046.tif 000009